(57)【要約】【課題】便利にすばやく使用できるネイルコンフェティ型セットを提供する。【解決手段】少なくとも一つの可撓性の型１０を含み、当該型１０は少なくとも一つの型抜き孔１１を有し、この型抜き孔１１は表面から下向きに伸びている。コンフェティ溶剤２０を当該型抜き孔１１に注入し、溶剤が固化した後、１個のコンフェティ２１を形成することができ、人体のネイルまたはアーティフィシャルネイルを装飾するのに便利である。【選択図】図２
0003139907.tif 000002
【実用新案登録請求の範囲】
【請求項１】
可撓性体である型を含むネイルコンフェティ型セットであって、前記型が少なくとも一つの型抜き孔を有することを特徴とする、ネイルコンフェティ型セット。
【請求項２】
さらにコンフェティ溶剤を含み、前記コンフェティ溶剤を前記型の型抜き孔に注入し、固化させた後、それによってコンフェティを構成することを特徴とする、請求項１に記載のネイルコンフェティ型セット。
【請求項３】
前記型が多数の型抜き孔を有し、これらの型抜き孔の外観形状が非一様であることを特徴とする、請求項１に記載のネイルコンフェティ型セット。
【請求項４】
前記型の型抜き孔の形状サイズがさまざまな形式・サイズに設定されており、かつ少なくとも２個ずつの型抜き孔の形状・サイズが同一に設定されていることを特徴とする、請求項３に記載のネイルコンフェティ型セット。
【考案の詳細な説明】
【技術分野】
【０００１】
本考案は、ネイルアートセットに係り、特に、便利にすばやく使用できるネイルコンフェティ型セットに関するものである。
【背景技術】
【０００２】
従来のネイルアートコンフェティは、すべてコンフェティブラシによって、溶剤とアクリルパウダーをつけて、ネイルの上で一筆一筆立体造形を形作り、それによってネイルアートを創作していた。
【０００３】
しかし、人工造形の方式は、完全にテクニックに依存して造形され、速度が遅いだけでなく、工賃も高く、絶えず流行を追い求める女性消費者にとっては、必然的に多額の金銭を費やさなければならないことになる。また、ネイルアートがますます普及してきているため、価格が低廉で、簡単に使用できるコンフェティ材料を提供することは、業者が追い求め続けている目標の一つである。
【考案の開示】
【考案が解決しようとする課題】
【０００４】
本考案の目的は、簡単に使用できかつ取扱いに便利な、すばやく製造できるネイルコンフェティ型セットを提供することにある。
【課題を解決するための手段】
【０００５】
上記目的を達成するためになされた本願の考案は、１個の可撓性の型を含み、前記型は１個以上の型抜き孔を有し、この型抜き孔は表面から下向きに伸びている。コンフェティ溶剤を前記型抜き孔に注入し、溶剤が固化した後、１個のコンフェティ片を形成することができ、それによって人体のネイルまたはアーティフィシャルネイルの装飾を便利にすることを特徴とする、ネイルコンフェティ型セットであること。
【０００６】
本考案のネイルコンフェティ型セットには、さらに１個のコンフェティ溶剤を含み、コンフェティ溶剤を当該型の型抜き孔に注入し、固化した後、それによって１個のコンフェティを構成する。また、当該型は多数の型抜き孔を有し、これらの型抜き孔の外観形状は一様でなくてもよい。あるいは型抜き孔の形状・サイズをさまざまな形式・サイズに設定し、かつ少なくとも２個ごとの型抜き孔の形状・サイズを同一に設定し、それによって多様に変化するコンフェティを提供する。
【考案の効果】
【０００７】
上記をまとめると、従来のネイルアートが一筆一筆造形し、不便かつ手間をかけなければならないという問題が存在するのに比べ、本考案のネイルコンフェティ型セットを使用することによって、多様な造形のコンフェティをすばやく製造し、それによって消費者の流行ファッションに対する需要を満たすことができる。
【０００８】
またこのコンフェティがすばやく製作できることは、ネイルアーチストにとっても、質が高く値段の安いコンフェティをすばやく提供することができ、相対的に造形費用を低下させ、それによって消費者の負担を低減することができる。
【０００９】
さらに、前記にいうコンフェティ溶剤はアクリルパウダーであり、このアクリルパウダーはキラキラした視覚造形感を作り出すことができるほか、粘土などの顔料を型の型抜き孔に加えると、さまざまな質感を作り出し、ネイルの造形的な変化を増すこともできる。
【考案を実施するための最良の形態】
【００１０】
以下、本考案の前記およびその他の技術内容、特徴、効果について、参考図面を参照し、数個の実施例の詳細な説明の中で明らかにする。
【００１１】
図１はコンフェティ溶剤を型抜き孔中に注入済みの立体図である。図２はコンフェティ溶剤を滴下しているところの立体概略図である。
【００１２】
図1と図2に示されているように、本考案のネイルコンフェティ型セットの第1実施例には、１個の型１０と１個のコンフェティ溶剤２０を含む。
【００１３】
当該型１０は、複数個の型抜き孔１１を有し、これらの型抜き孔１１は型１０の外表面にくぼみを形成している。第1実施例において、当該型１０はコロイドブロックまたは金属ブロックなどの可撓性の可撓性体であり、ゴム材質を使用して製作された場合、すぐれた可撓性を有するだけでなく、製造コストも低廉で、量産化の助けになり、より好適な使用状態となる。
【００１４】
また、当該型１０のこれらの型抜き孔１１の形状・サイズはさまざまな形式・サイズに設定され、かつ２個ごとの型抜き孔１１の形状・サイズはすべて同一に設定（対を成して設置）されている。
【００１５】
コンフェティ溶剤２０を当該型１０の型抜き孔１１中に滴下し、コンフェティ溶剤が固化した後、図３に示されたように、当該型１０を矢印方向にたわめて変形させるだけで、固化したコンフェティ２１が直ちに型抜き孔１１上から剥離する。
【００１６】
図４に示されたように、このとき、すぐに人体のネイルまたはアーティフィシャルネイル上に便利に装飾することができ、ネイルアーチストは多くの製作時間を省くことができ、また工賃を低下させることができる。
【００１７】
図５は、本考案のネイルコンフェティ型セットの第２実施例であり、この型３０は複数個の型抜き孔３１、３２、３３を有し、これらの型抜き孔３１、３２、３３の外観形状はすべて異なり、これによってコンフェティの形状変化を増加させることができる。ここでは、ハート型、星型および蝶結び造形のみを例として挙げておく。
【００１８】
上述する実施例は、この考案の好ましい実施の形態であって、この考案の実施の範囲を限定するものではない。したがって、当業者のなし得る修正、もしくは変更であって、この考案の精神の下においてなされ、この考案に対して均等の効果を有するものは、いずれもこの考案の登録請求の範囲に含まれるものとする。
【図面の簡単な説明】
【００１９】
【図１】本考案のネイルコンフェティ型セットの第１実施例の立体図
【図２】コンフェティ溶剤を滴下した立体概略図
【図３】断面図であり、コンフェティを剥離する操作を説明する概略図
【図４】コンフェティをネイル上に取り付ける分解立体図
【図５】本考案のネイルコンフェティ型セットの第２実施例の平面図
【符号の説明】
【００２０】
１０  型
１１  型抜き孔
２０  コンフェティ溶剤
２１  コンフェティ
３０  型
３１  型抜き孔
３２  型抜き孔
３３  型抜き孔
【図１】
0003139907.tif 000003
【図２】
0003139907.tif 000004
【図３】
0003139907.tif 000005
【図４】
0003139907.tif 000006
【図５】
0003139907.tif 000007